(57)【要約】【課題】パソコンを載置している載置台に十分なスペースがない場合でも作業スペースを確保できる簡易作業台を提供する。【解決手段】パソコンの入力部を備えたボードの少なくとも一部を覆う水平板と、該水平板の下面に該ボードを収容するように配設された互いに対向する一対の柱部と、を少なくとも備えた簡易作業台とする。また、前記ボードの少なくとも一部を覆うカバー位置から該ボードにおいて前記水平板によって覆われる部位を露出する露出位置に退避させた状態で該水平板を固定する固定部を備えた構成とする。【選択図】図１
2014149789.tif 000002
【特許請求の範囲】
【請求項１】
パソコンの入力部を備えたボードの少なくとも一部を覆う水平板と、
該水平板の下面に該ボードを収容するように配設された互いに対向する一対の柱部と、
を少なくとも備えた簡易作業台。
【請求項２】
前記ボードの少なくとも一部を覆うカバー位置から該ボードにおいて前記水平板によって覆われる部位を露出する露出位置に退避させた状態で該水平板を固定する固定部を備えた、
ことを特徴とする請求項１に記載の簡易作業台。
【請求項３】
前記水平板は透明である、
ことを特徴とする請求項１又は２に記載の簡易作業台。
【発明の詳細な説明】
【技術分野】
【０００１】
本発明は、パソコンと共に使用される簡易作業台に関する。
【背景技術】
【０００２】
従来、事務机、作業机などの載置台に、デスクトップ型パソコンのディスプレイや、キーボード、マウスなどの入力部を載置することで、パソコン操作が行われている。
【０００３】
載置台に十分なスペースがない状況でメモを取るなどの作業を行う場合には、例えばキーボードを移動することで、メモ用紙を置くためのスペースを確保して作業スペースとして利用することが行われている。
【０００４】
しかし、メモを取る等の短時間の作業のために、都度キーボードを別の場所に移動させ、その後元に戻すという動作を繰り返すのは、非常に手間である。
【０００５】
一方、ノートブック型のパソコンにおいては、載置台に十分なスペースがない場合、パソコン自体も移動できるスペースが確保できない場合が多く、例えばノートブック型パソコンを閉じて蓋の上にメモ用紙を置いてメモを取るなどの作業が行なわれる。
【０００６】
また、例えば特許文献１に開示されるようなタッチパッドを備えたノートブック型パソコンでは、タッチパッドの横のスペースを作業スペースとして利用して作業をしたりしている（例えば特許文献１参照。）。
【先行技術文献】
【特許文献】
【０００７】
【特許文献１】特開２００２−０９９３８０号公報
【発明の概要】
【発明が解決しようとする課題】
【０００８】
しかし、タッチパッドの横のスペースのみでは作業スペースとしては非常に狭く、十分な作業スペースが確保できない上、ノートブック型パソコンの外装やタッチパッドの横のスペースには立体的な模様やロゴが入れられていて平坦ではないことが多く、作業スペースとしては適さないという問題がある。
【０００９】
本発明は、以上の問題点に鑑みてなされたものであり、その目的とするところは、パソコンを載置している載置台に十分なスペースがない場合でも作業スペースを確保できる簡易作業台を提供することである。
【課題を解決するための手段】
【００１０】
請求項１に記載の発明によると、パソコンの入力部を備えたボードの少なくとも一部を覆う水平板と、水平板の下面にボードを収容するように配設された互いに対向する一対の柱部と、を少なくとも備えた簡易作業台が提供される。
【００１１】
請求項２に記載の発明によると、ボードの少なくとも一部を覆うカバー位置からボードにおいて水平板によって覆われる部位を露出する露出位置に退避させた状態で水平板を固定する固定部を備えた、ことを特徴とする請求項１に記載の簡易作業台が提供される。
【００１２】
請求項３に記載の発明によると、水平板は透明である、ことを特徴とする請求項１又は２に記載の簡易作業台が提供される。
【発明の効果】
【００１３】
本発明によると、パソコンが載置されている載置台に十分なスペースがない場合でも、作業スペースを確保できる簡易作業台が提供される。
【００１４】
より具体的には、本発明にかかる簡易作業台では、パソコンの入力部を備えたボードの少なくとも一部を覆う水平板と、水平板の下面に配設され、ボードを収容する一対の対面する柱部とを有するため、柱部間にボードの少なくとも一部を収容した状態で、水平板上での作業が可能となり、水平板の上面を作業スペースとして利用することができる。
【図面の簡単な説明】
【００１５】
【図１】（Ａ）は簡易作業台の表面側を上にした状態について示す斜視図。（Ｂ）は簡易作業台の裏面側を上にした状態について示す斜視図。
【図２】（Ａ）はノートパソコンの斜視図。（Ｂ）は簡易作業台を利用した状態のノートパソコンの斜視図。
【図３】（Ａ）は他の実施形態にかかる簡易作業台の使用状態について示す斜視図。（Ｂ）は他の実施形態にかかる簡易作業台を退避位置に設定した状態について示す斜視図。
【図４】別の実施形態にかかる簡易作業台の構成について示す斜視図。
【図５】（Ａ）は別の実施形態にかかる簡易作業台の構成について示す斜視図。（Ｂ）は別の実施形態にかかる簡易作業台を退避位置に設定した状態について示す斜視図。
【図６】より広い作業スペースを確保するための水平板の構成例について示す側面断面図。
【発明を実施するための形態】
【００１６】
以下、図面を用いて本発明の実施形態について説明する。
図１（Ａ）は簡易作業台１の表面側を上にした状態について示す斜視図、図１（Ｂ）は簡易作業台１の裏面側を上にした状態について示す斜視図、図２（Ａ）はノートパソコン２の斜視図、図２（Ｂ）は簡易作業台１を利用した状態のノートパソコン２の斜視図である。
【００１７】
図１（Ａ）（Ｂ）に示すように、簡易作業台１は、水平板１１と、水平板１１の下面１１ｂに互いに対向する一対の柱部１２，１３と、を少なくとも有して構成される。
【００１８】
本実施形態では、水平板１１は長方形の板状部材に構成されており、長手方向の両端部に、長方形の板状部材にて構成される柱部１２，１３が形設されている。なお、水平板１１の形状は長方形に限定されず他の形状であってもよく、柱部１２，１３については、例えば、棒状の部材によって構成してもよい。
【００１９】
さらに、簡易作業台１には、水平板１１の長尺辺部のうちの一辺と、柱部１２，１３の長手方向の一端を接続するようにして、長方形の板状部材で構成される補強柱部１４が設けられている。補強柱部１４については、例えば、棒状の部材によって構成してもよい。
【００２０】
そして、水平板１１は、柱部１２，１３、及び、補強柱部１４の高さ寸法だけ高い位置に配置され、水平板１１の下面１１ｂの側（裏側）に空間１５が形成されるようになっている。
【００２１】
以上のように構成する簡易作業台１は、図２（Ａ）に示されるようなノートパソコン２について使用されることが想定される。
【００２２】
ノートパソコン２は、入力部として機能するキーボード３、タッチパッド４、タッチボタン５を備えるボード６を有している。
【００２３】
ボード６の上面において、タッチパッド４、タッチボタン５の左右の部位は、手を置くためのパームレスト部分６ａとして機能するようになっている。
【００２４】
ボード６の側部には、外部機器を接続するためのコネクタ７が設けられている。
【００２５】
さらに、ボード６に対して折りたためるディスプレイ８が設けられている。ディスプレイ８の面の大きさは、ボード６と略同一の大きさで構成されている。
【００２６】
また、ディスプレイ８のフレーム部８ａには、ディスプレイ８の開閉を関知するための開閉センサ用の磁性体８ｂが設けられている。
【００２７】
以上のようなノートパソコン２は、作業机などの載置台３０に載置されて使用されるものであり、載置台３０においてノートパソコン２が載置されない空きのスペースが、ノートパソコン２を操作する以外の作業スペースとして利用できることになる。
【００２８】
この作業スペースは、載置台３０の大きさによって限られてしまうため、特に載置台３０の上面の面積が狭い場合には、作業スペースが狭いものとなってしまう。
【００２９】
加えて、載置台３０の上においてマウス９を移動させることが一般的に行われるものであり、このマウス９の移動スペースを含めると、載置台３０の上で空いている作業スペースは極限られた状況となる場合がある。
【００３０】
以上のような状況において、図２（Ｂ）に示すように、簡易作業台１が使用される。本実施形態の簡易作業台１では、水平板１１の面積がパームレスト部分６ａと略同一に構成されることにより、パームレスト部分６ａの略全体を水平板１１によって覆われ、ボード６の一部が簡易作業台１の内部に収容された状態とすることができる。
【００３１】
そして、このようにパームレスト部分６ａを覆うことで、水平板１１の上面１１ａにて作業スペースＳを形成することができる。つまり、タッチパッド４、タッチボタン５といった入力部が水平板１１によって覆われることで操作されることがなくなり、例えば、水平板１１の上面１１ａにメモ用紙を載置してメモを取るといったことや、押印するなどの作業が可能となる。
【００３２】
さらに、本実施形態では、簡易作業台１の側面を構成する柱部１２において、コネクタ７を外部に露出させるための開口部１２ａが設けられることとしている。
【００３３】
開口部１２ａは、例えば、下側が開放される門形状の開口部にて構成することができる。これにより、簡易作業台１を使用する際には、ＵＳＢケーブルなどをコネクタ７から外すことなく、外部機器を接続したまま、上から簡易作業台１を被せるようにして、簡易作業台１を設置することができる。また、簡易作業台１の使用を終える際には、外部機器を接続したままで簡易作業台１を上方に持ち上げることで、容易に簡易作業台１を取り外すことができる。
【００３４】
図３（Ａ）は、他の実施形態にかかる簡易作業台１Ａについて示すものであり、この簡易作業台１Ａの構成では、キーボード３の部位をも覆うことができる水平板１１Ａを備える構成とするものである。
【００３５】
これにより、ボード６の上面全てを水平板１１Ａで覆うことが可能となり、より広い作業スペースＳＡを確保することが可能となる。
【００３６】
さらに、図３（Ａ）に示すように、簡易作業台１Ａの水平板１１Ａにおいて、ディスプレイ８側の開閉センサ用の磁性体８ｂに対応する位置に固定用磁性体１１ｃを設ける構成とし、図３（Ｂ）に示すように、簡易作業台１Ａをディスプレイ８にもたれかけさせた際に、磁性体９ｂに対して固定用磁性体１１ｃを磁着させる構成としてもよい。
【００３７】
これによれば、ディスプレイ８に対して簡易作業台１Ａを仮固定した状態で収容することができ、水平板１１Ａによって覆われる部位を露出する露出位置に退避させた状態で水平板１１Ａを固定することが可能となる。そして、必要なときに簡易作業台１Ａを倒すことにより、作業スペースＳＡ（図３（Ａ））を形成することができる。なお、磁性体（マグネットなど）による磁着の固定の構成に限定されるものではなく、例えば、面ファスナなどの他の構成を用いて固定の機能を確保することとしてもよい。
【００３８】
さらに、水平板１１Ａを、例えば、透明度の高いアクリルなどの透明素材で構成することによれば、図３（Ｂ）に示す状態において、ディスプレイ８に表示される内容を視認することが可能となり、キーボード３などを用いたパソコン操作が可能となる。
【００３９】
図４は、さらに別の実施形態にかかる簡易作業台１Ｂについて示すものであり、図５（Ａ）（Ｂ）に示すように、載置台３０にディスプレイ４１や、キーボード４２、マウス４３などの入力部を置いた形で使用される、いわゆるデスクトップパソコンの形態において好適な実施形態である。
【００４０】
本実施形態の簡易作業台１Ｂは、長方形の水平板１１Ｂと、水平板１１Ｂの各辺部において水平板１１Ｂの板面に対して垂直方向に立設される柱部１２Ｂ〜１５Ｂを有して構成される。なお、水平板１１Ｂの形状は長方形に限定されず他の形状であってもよく、柱部１２Ｂ〜１５Ｂについては、例えば、棒状の部材によって構成してもよい。
【００４１】
このような構成とすることで、水平板１１Ｂの下面１１Ｂｂ側には、図５（Ａ）に示されるようなキーボード４２を収容するための空間１６が形成され、図５（Ｂ）に示すように、簡易作業台１Ｂを倒した状態でキーボード４２に被せることで、キーボード４２を上から覆うことができるようになっている。
【００４２】
このようにして、キーボード４２を覆うことで、水平板１１Ｂの上面１１Ｂａにて作業スペースＢＳを形成することができる。つまり、キーボード４２のキー（入力部）が水平板１１Ｂによって覆われることで操作されることがなくなり、例えば、水平板１１Ｂの上面１１Ｂａにメモ用紙を載置してメモを取るといったことや、押印するなどの作業が可能となる。
【００４３】
また、簡易作業台１Ｂの柱部１２Ｂ〜１５Ｂは、載置台３０の上面３０ａと水平板１１Ｂの間に隙間を形成して空間１６を形成することを目的とするものであるため、少なくとも、互いに対向する一対の柱部、つまり、例えば、柱部１２Ｂ，１３Ｂのみを設けることとしてもよい。
【００４４】
また、図６の簡易作業台１Ｃに示すように、柱部１２Ｃ，１３Ｃの位置よりも水平板１１Ｃが横方向に大きく突出する形態として、水平板１１Ｃの上面１１Ｃａにより広い作業スペースＣＳを確保することとしてもよい。
【００４５】
加えて、図４に示す簡易作業台１Ｂは、キーボード４２を覆う状態とするカバー位置（図５（Ａ））と、キーボード４２を露出する露出位置（図５（Ｂ））の二位置について、適宜移動させることによって、作業スペースＢＳとして使用する場合と、キーボード４２を使用する場合を切替えることができる。
【００４６】
そして、本実施形態では、簡易作業台１Ｂに、露出位置に退避させた状態で簡易作業台１Ｂを立たせたままに維持するための固定部として機能するスタンド部１７を設けた構成としている。また、このスタンド部１７のほか、柱部１５Ｂも簡易作業台１Ｂを立たせたままに維持するための固定部として機能することになる。
【００４７】
スタンド部１７は、本実施形態のように、半円板状の突起部を水平板１１Ｂの上面１１Ｂａに突設することで構成するほか、棒状の部材によるスタンドとすることや、磁性体を付設することで載置台３０の表面に磁着させる機能を持たせることとしてもよい。
【００４８】
また、このスタンド部１７は、つまみとして手で摘めるように構成することで、簡易作業台１Ｂの移動などを容易にする、つまりは、ハンドリングが容易な構成とすることができる。
【００４９】
以上に説明した構成により、本発明を実施することができる。
即ち、図２（Ｂ）に示す構成では、ノートパソコン（パソコン）２のキーボード（入力部）３を備えたボード６の少なくとも一部を覆う水平板１１と、水平板１１の下面にボード６を収容するように配設された互いに対向する一対の柱部１２，１３と、を備える構成とするものである。
【００５０】
このような構成により、柱部１２，１３間にボード６の少なくとも一部を収容した状態で、水平板１１上での作業が可能となり、水平板１１の上面を作業スペースＳとして利用することができる。
【００５１】
また、図５（Ｂ）に示す構成では、パソコンの入力部となるキーを備えたキーボード４２（ボード）の少なくとも一部を覆う水平板１１Ｂと、水平板１１Ｂの下面にキーボード４２を収容するように配設された互いに対向する一対の柱部１２Ｂ，１３Ｂと、を備える構成とするものである。
【００５２】
このような構成により、柱部１２Ｂ，１３Ｂ間にキーボード４２（ボード）の少なくとも一部を収容した状態で、水平板１１Ｂ上での作業が可能となり、水平板１１Ｂの上面を作業スペースＢＳとして利用することができる。
【００５３】
また、図３（Ａ）（Ｂ）に示される簡易作業台１Ａの構成では、ボード６の少なくとも一部を覆うカバー位置（図３（Ａ））からボード６において水平板１１Ａによって覆われる部位を露出する露出位置に退避させた状態で水平板１１Ａを固定する固定用磁性体１１ｃ（固定部）を備えた構成とするものである。
【００５４】
このような構成により、簡易作業台１Ａが不要なときは、退避位置に簡易作業台１Ａを退避させることが可能となり、また、水平板１１Ａによって覆われていた部位が開放されることで、通常のパソコン操作をすることが可能となる。
【００５５】
また、図５（Ａ）（Ｂ）に示される簡易作業台１Ｂの構成では、キーボード４２（ボード）の少なくとも一部を覆うカバー位置（図５（Ａ））からキーボード４２（ボード）において水平板１１Ｂによって覆われる部位を露出する露出位置に退避させた状態で水平板１１Ｂを固定するスタンド部１７（固定部）を備えた構成とするものである。
【００５６】
このような構成により、簡易作業台１Ｂが不要なときは、退避位置に簡易作業台１Ｂを退避させることが可能となり、また、水平板１１Ｂによって覆われていた部位が開放されることで、通常のパソコン操作をすることが可能となる。
【００５７】
また、図３（Ｂ）に示す簡易作業台１Ａのように、水平板１１Ａを透明にて構成することができる。
【００５８】
これにより、水平板１１Ａを退避位置に位置付けてディスプレイ８にもたれかけさせた場合であっても、ディスプレイ８に表示される内容を視認することが可能となり、キーボード３などを用いたパソコン操作が可能となる。
【符号の説明】
【００５９】
１    簡易作業台
２    ノートパソコン
３    キーボード
４    タッチパッド
５    タッチボタン
６    ボード
６ａ    パームレスト部分
７    コネクタ
８    ディスプレイ
１１    水平板
１２    柱部
１３    柱部
Ｓ    作業スペース
３０    載置台
【図１】
2014149789.tif 000003
【図２】
2014149789.tif 000004
【図３】
2014149789.tif 000005
【図４】
2014149789.tif 000006
【図５】
2014149789.tif 000007
【図６】
2014149789.tif 000008